(57)【要約】      （修正有）【課題】イヤホン、ＵＳＢコード等のケーブルを極めて簡単に、絡まないようにまとめておくことができるケーブル保持具を提供する。【解決手段】ケーブルを巻きつけて保持するケーブル保持具１００であって、可撓性を有する材料で略長方形に形成された本体板状部１０と、本体板状部１０の片端に形成された第一の連結具２０と、第一の連結具２０に係合し、本体板状部１０の他端に形成された第二の連結具と、第一の連結具２０と第二の連結具２１の間に形成され、第一の連結具２０と第二の連結具２１が係合する開口部３０と、第一の連結具２０又は第二の連結具２１と、開口部３０との間に形成され、ケーブルを挿入させるスリット部４０と、を備える。第一の連結具２０と第二の連結具２１が開口部３０を介して係合された際に形成されるループ部にて、ケーブルの束を保持可能に構成する。【選択図】図１
0003191382.tif 000002
【実用新案登録請求の範囲】
【請求項１】
ケーブルを巻きつけて保持するケーブル保持具であって、
可撓性を有する材料で略長方形に形成された本体板状部と、
前記本体板状部の片端に形成された第一の連結具と、
前記第一の連結具に係合し、前記本体板状部の他端に形成された第二の連結具と、
前記第一の連結具と第二の連結具の間に形成され、前記第一の連結具と前記第二の連結具が係合する開口部と、
前記第一の連結具又は前記第二の連結具と、前記開口部との間に形成され、前記ケーブルを挿入させるスリット部と、を備え、
前記第一の連結具と前記第二の連結具が前記開口部を介して係合された際に形成されるループ部にて、前記ケーブルの束を保持可能に構成されることを特徴とするケーブル保持具。
【請求項２】
前記本体板状部の一方の面側に、前記第一の連結具の前記第二の連結具との係合部が配置され、
前記本体板状部の他方の面側に、前記第二の連結具の前記第一の連結具との係合部が配置されることを特徴とする請求項１に記載のケーブル保持具。
【請求項３】
ケーブルを巻きつけて保持するケーブル保持具であって、
可撓性を有する材料で略長方形に形成された本体板状部と、
前記本体板状部の片端に形成された第一の連結具と、
前記本体板状部の他端に形成された開口部と、
前記第一の連結具と前記開口部の間に形成され、前記第一の連結具と係合する前記第二の連結具と、
前記第二の連結具と前記開口部との間、又は、前記第一の連結具と前記第二の連結具の間、に形成され、前記ケーブルを挿入させるスリット部と、
を備え、
前記第一の連結具と前記第二の連結具が前記開口部を介して係合された際に形成されるループ部にて、前記ケーブルの束を保持可能に構成されることを特徴とするケーブル保持具。
【請求項４】
前記第一の連結具の前記第二の連結具との係合部と、前記第二の連結具の前記第一の連結具との係合部が、前記本体板状部の同一面に配置されることを特徴とする請求項３に記載のケーブル保持具。
【請求項５】
前記第一の連結具と前記第二の連結具を一対のスナップボタンで構成することを特徴とする請求項１乃至４のいずれか一項に記載のケーブル保持具。
【考案の詳細な説明】
【技術分野】
【０００１】
本考案は、ケーブルを保持して収納可能なものであって、該ケーブルの収納時において、ケーブルを極めて簡単に、絡まないようにまとめておくことができると共に、長さ調節もでき、かつ、ケーブルを使用する際にも取り外し不要なケーブル保持具に関する。
【背景技術】
【０００２】
近年、多くの人達が携帯オーディオ機器又はスマートフォン等の携帯端末を持ち歩き、場所に拘束されることなく、当該携帯端末等で音楽を聴いたり、ラジオを聴いたりすることができるようになった。さらに、携帯オーディオ機器や携帯端末等は、通常、持ち歩くことが多いため、イヤホンの収納具への需要が高まっている。また、スマートフォンの充電ケーブルや、ＵＳＢケーブルなども持ち歩くことが多く、このようなケーブル類の収納具への需要も高まっている。これに対し、プラスチック成型のケーブルクリップや、マジックテープ（登録商標）型のイヤホンの収納具がある。
なお、本考案に関して記載すべき先行技術文献はない。出願人が知っている先行技術は文献公知発明に係るものではないからである。
【考案の概要】
【考案が解決しようとする課題】
【０００３】
従来からあるプラスチック成型のケーブルクリップは、ケーブルを巻いた後に、巻き終えたケーブルをクリップに嵌め込まなくてはならず、非常に嵌め込みにくい。さらに、ケーブル使用時にはクリップを取り外して、ケーブルを解かなければならず、外したクリップを紛失してしまうという問題がある。また、マジックテープ（登録商標）型のケーブル収納具は、持ち運びの際に鞄の中でマジックテープ（登録商標）が様々なものに張り付き、毛羽立たせてしまうという問題がある。
【０００４】
本考案の目的は、このような問題等に鑑みて、イヤホン、ＵＳＢコード等のケーブルを、極めて簡単に、絡まないようにまとめておくことができると共に、長さ調節もでき、かつ、ケーブルを使用する際にも取り外し不要なケーブル保持具を提供することにある。
【課題を解決するための手段】
【０００５】
本考案のケーブル保持具は、ケーブルを巻きつけて保持するケーブル保持具であって、可撓性を有する材料で略長方形に形成された本体板状部と、前記本体板状部の片端に形成された第一の連結具と、前記第一の連結具に係合し、前記本体板状部の他端に形成された第二の連結具と、前記第一の連結具と第二の連結具の間に形成され、前記第一の連結具と前記第二の連結具が係合する開口部と、前記第一の連結具又は前記第二の連結具と、前記開口部との間に形成され、前記ケーブルを挿入させるスリット部と、を備え、前記第一の連結具と前記第二の連結具が前記開口部を介して係合された際に形成されるループ部にて、前記ケーブルの束を保持可能に構成する。
【０００６】
前記本体板状部の一方の面側に、前記第一の連結具の前記第二の連結具との係合部が配置され、前記本体板状部の他方の面側に、前記第二の連結具の前記第一の連結具との係合部が配置されるよう構成してもよい。
【０００７】
本考案のケーブル保持具は、ケーブルを巻きつけて保持するケーブル保持具であって、可撓性を有する材料で略長方形に形成された本体板状部と、前記本体板状部の片端に形成された第一の連結具と、前記本体板状部の他端に形成された開口部と、前記第一の連結具と前記開口部の間に形成され、前記第一の連結具と係合する前記第二の連結具と、前記第二の連結具と前記開口部との間、又は、前記第一の連結具と前記第二の連結具の間、に形成され、前記ケーブルを挿入させるスリット部と、を備え、前記第一の連結具と前記第二の連結具が前記開口部を介して係合された際に形成されるループ部にて、前記ケーブルの束を保持可能に構成する。
【０００８】
前記第一の連結具の前記第二の連結具との係合部と、前記第二の連結具の前記第一の連結具との係合部が、前記本体板状部の同一面に配置されるよう構成してもよい。
【０００９】
前記第一の連結具と前記第二の連結具を一対のスナップボタンで構成してもよい。
【考案の効果】
【００１０】
本考案のケーブル保持具によれば、スナップボタン等の第一の連結具と第二の連結具を留めて係合するだけの使いやすいケーブル保持具を実現できる。また、第一の連結具と第二の連結具を留めた際に形成されるループ部に、ケーブル束を分けて留めることができるため、外してケーブルを延ばす際にも非常に絡みにくい。さらに、ケーブルを一度スリット部に通すため、たとえ、ケーブル使用時にケーブルを全て伸ばしたとしても、ケーブル保持具はケーブルに付いたままで使用することができ、取り外されることがないので、紛失を防止することができる。
さらに、第一の連結具と第二の連結具を外して、ケーブルを所望の長さだけ伸ばし、残りのケーブル束を同じ要領でまとめて保持しておくことも可能であるため、ケーブルの長さ調節にも使用できる。
【図面の簡単な説明】
【００１１】
【図１】本実施形態によるケーブル保持具１００の平面図である。
【図２】本実施形態によるケーブル保持具１００の底面図である。
【図３】ケーブル保持具１００にイヤホンコードを巻きつける工程を示す使用説明図である。
【図４】ケーブル保持具１００にイヤホンコードを巻きつける工程を示す使用説明図である。
【図５】ケーブル保持具１００にイヤホンコードを巻きつける工程を示す使用説明図である。
【図６】ケーブル保持具１００にイヤホンコードを巻きつける工程を示す使用説明図である。
【図７】ケーブル保持具１００にイヤホンコードを巻きつける工程を示す使用説明図である。
【図８】ケーブル保持具１００にイヤホンコードを巻きつける工程を示す使用説明図である。
【図９】他の実施形態によるケーブル保持具２００の斜視図である。
【図１０】他の実施形態によるケーブル保持具２００の斜視図である。
【考案を実施するための形態】
【００１２】
本考案の実施の形態について、図面を参照して説明する。ただし、以下に説明する実施形態は、あくまでも例示であり、以下に明示しない種々の変形や技術の適用を排除する意図はない。即ち、本考案は、その趣旨を逸脱しない範囲で種々変形して実施することができる。
【００１３】
図１は本実施形態によるケーブル保持具１００の平面図、図２は本実施形態によるケーブル保持具１００の底面図である。ケーブル保持具１００の表裏を理解し易くするため片面を薄墨であらわしている（図２）。
本実施形態のケーブル保持具１００は、可撓性を有する材料で略長方形に形成された本体板状部１０と、本体板状部１０の片端に形成された第一の連結具としてのスナップボタン２０と、スナップボタン２０に係合し、本体板状部１０の他端に形成された第二の連結具としてのスナップボタン２１と、スナップボタン２０とスナップボタン２１の間に形成され、スナップボタン２０とスナップボタン２１が係合する開口部３０と、スナップボタン２１と、開口部３０との間に形成されケーブルを挿入させるスリット部４０と、を備えている。そして、スナップボタン２０とスナップボタン２１が開口部３０を介して係合された際に形成されるループ部５０にて、ケーブルの束を保持可能に構成する。
【００１４】
本体板状部１０は、樹脂、皮革等の可撓性を有する材料で形成されている。
スナップボタン２０は、本体板状部１０の一方の面側にスナップブタン２１と係合する係合部２０ａを備える。スナップボタン２１は、本体板状部１０の他方の面側にスナップボタン２０と係合する係合部２１ａを備える。図１、図２では、係合部２０ａを本体板状部１０の裏面（ケーブル保持具１００の底面（図２））に、係合部２１ａを本体板状部１０の表面（ケーブル保持具１００の平面（図１））に配置させたが、係合部２０ａを本体板状部１０の表面（ケーブル保持具１００の平面（図１））に、係合部２１ａを本体板状部１０の裏面（ケーブル保持具１００の底面（図２））に配置させてもよい。
【００１５】
開口部３０は、本体板状部１０のほぼ中央部に配置することが好ましい。開口部３０の形状、サイズは、スナップボタン２０、２１が係合できればよく、限定はない。特に、スナップボタン２０、２１と略同じ形状、サイズであれば、係合時にスナップボタン２０、２１が不安定に動くことを防止できるため、好ましい。
【００１６】
スリット部４０の短手方向のサイズは、保持の対象となるケーブル径程度のサイズであることが好ましい。
ケーブルは、通常、ケーブル径より大きい端部を具備している。そのため、スリット部４０を指で押し開き、ケーブル端部からケーブルをスリット部４０に挿入する。ケーブル端部は、例えば、イヤホン差込み端、耳栓部等を備えたイヤホンスピーカ部、ＵＳＢ差込み端、コンセントプラグ等である。
【００１７】
図１乃至図８において、スリット部４０をスナップボタン２１と開口部３０との間に設けた例を図示したが、スナップボタン２０と開口部３０との間にスリット部４０を設けてもよい。
【００１８】
続いて、イヤホンコードを一例として本考案のケーブル保持具に巻きつける工程に関して説明する。図３乃至図８は、ケーブル保持具１００にイヤホンコードを巻きつける工程を示す使用説明図である。ケーブル保持具１００の表裏を理解し易くするため片面を薄墨であらわしている。
【００１９】
先ず、ケーブルをスリット部４０に挿入する（図３）。
続いて、ケーブルをスナップボタン２１と開口部３０の間付近で巻きつける。図４のように、ケーブル保持具１００を手で把持したまま巻きつけると、巻き付けやすく、かつ、次の動作に繋がりやすく、より操作が容易である。
次に、スナップボタン２１側を、本体板状部１０の一方の側から折り曲げて開口部３０に押入れる（図５）。そして、スナップボタン２０側を、本体板状部１０の他方の側から折り曲げ、開口部３０を介して、スナップボタン２１と係合する。具体的には、ケーブル束をまとめながら（図６）、係合部２０ａを、スナップボタン２１の係合部２１ａに係合させる。このようにして、スナップボタン２０と開口部３０の間の本体板状部１０が折り曲げられて形成されるループ部５０、及び、スナップボタン２１と開口部３０の間の本体板状部１０が折り曲げられて形成されるループ部５０にて、ケーブル束が保持される（図７）。
【００２０】
以上説明したように、本実施形態によるケーブル保持具１００によれば、本体板状部１０と、本体板状部１０の片端に形成されたスナップボタン２０と、スナップボタン２０に係合し、本体板状部１０の他端に形成されたスナップボタン２１と、スナップボタン２０とスナップボタン２１の間に形成され、スナップボタン２０とスナップボタン２１が係合する開口部３０と、スナップボタン２１と開口部３０との間に形成されケーブルを挿入させるスリット部４０と、を備えて構成した。これにより、スナップボタン２０と２１を留めて係合するだけの使いやすいケーブル保持具を実現できる。
【００２１】
さらに、スナップボタン２０、２１を留めた際に形成されるループ部５０に、ケーブル束の環の左右を分けて留めるため（図７、図８）、外してケーブルを延ばす際に非常に絡みにくい。さらに、ケーブルを一度スリット部４０に通すため、たとえ、ケーブル使用時にケーブルを全て伸ばしたとしても、例えば図３に示すように、ケーブル保持具１００はケーブルに付いたままで使用することができる。取り外されることがないので、紛失を防止することができる。また、本体板状部１０を樹脂、皮革など、軽量の材料を選択すれば、ケーブル保持具１００が付いたままで使用することのストレスを低減させることができる。
【００２２】
さらに、スナップボタン２０、２１を外して、ケーブルを所望の長さだけ伸ばし、残りのケーブル束を同じ要領でまとめて保持しておくことも可能であるため、ケーブルの長さ調節にも使用できる。
【００２３】
図９、１０は、他の実施形態によるケーブル保持具２００の斜視図である。なお、以下の説明において上述した実施形態と同様の構成等については説明を省略する場合がある。
【００２４】
ケーブル保持具２００は、可撓性を有する材料で略長方形に形成された本体板状部６０と、本体板状部６０の片端に形成された第一の連結具としてのスナップボタン７０と、本体板状部６０の他端に形成された開口部８０と、スナップボタン７０と開口部８０の間に形成され、スナップボタン７０と係合するスナップボタン７１と、スナップボタン７１と開口部８０との間に形成され、ケーブルを挿入させるスリット部９０と、を備えている。そして、スナップボタン７０とスナップボタン７１が開口部８０を介して係合された際に形成されるループ部９１にて、ケーブルの束を保持可能に構成する。
本体板状部６０の同一面に、スナップボタン７０の係合部７０ａと、スナップボタン７１の係合部７１ａが配置される。
なお、スナップボタン７１は、本体板状部６０のほぼ中央部に配置することが好ましい。また、スリット部９０は、スナップボタン７０とスナップボタン７１の間に形成してもよい。
【００２５】
図９及び図１０において、ケーブルは図示を省略している。
まず、本体板状部６０の開口部８０側端部を折り曲げて、開口部８０をスナップボタン７１に重ねる。そして、本体板状部６０のスナップボタン７０側端部を折り曲げて、開口部８０を介してスナップボタン７１と係合する。このような要領で、図１０のように、ケーブル束を束ねて保持するためのループ部９１を形成する。
以上説明したケーブル保持具２００の構成であっても、上述したケーブル保持具１００と同様の、本願特有の効果を奏することができる。
【００２６】
本考案の適用範囲は上記実施形態に限定されることはない。本考案は、イヤホンコード、ＵＳＢコードなどのケーブル類を保持するケーブル保持具に対し、広く適用することができる。
【符号の説明】
【００２７】
１００  ケーブル保持具
１０  本体板状部
２０、２１  スナップボタン（第一の連結具、第二の連結具）
２０ａ、２１ａ  係合部
３０  開口部
４０  スリット部
５０  ループ部
２００  ケーブル保持具
６０  本体板状部
７０、７１  スナップボタン（第一の連結具、第二の連結具）、
７０ａ、７１ａ  係合部
８０  開口部
９０  スリット部
９１  ループ部
【図１】
0003191382.tif 000003
【図２】
0003191382.tif 000004
【図３】
0003191382.tif 000005
【図４】
0003191382.tif 000006
【図５】
0003191382.tif 000007
【図６】
0003191382.tif 000008
【図７】
0003191382.tif 000009
【図８】
0003191382.tif 000010
【図９】
0003191382.tif 000011
【図１０】
0003191382.tif 000012
【手続補正書】
【提出日】平成26年4月9日(2014.4.9)
【手続補正１】
【補正対象書類名】図面
【補正対象項目名】図１０
【補正方法】変更
【補正の内容】
【図１０】
0003191382.tif 000013